(57)【要約】【課題】誘導加熱調理器の加熱方式を、各載置部に調理鍋などが載せられていても、調理鍋を避けることなく、誘導方式を採用した加熱部の数を容易に確認することができるようにする。【解決手段】本体内に配置され加熱部となる複数の加熱コイル１３ａ，１３ｂ，１３ｃと、該加熱コイルの上面を覆い調理鍋を載せるプレート３とを備えた誘導加熱調理器において、前記複数の加熱コイル１３ａ，１３ｂ，１３ｃのうち少なくとも一つは誘導加熱コイルとし、前記プレートには前記加熱部が誘導加熱方式であることを表示９７するとともに、誘導加熱コイルを用いた加熱部の数を表示９７する。【選択図】図２
2008021475.tif 000002
【特許請求の範囲】
【請求項１】
本体内に配置された複数の加熱部と、該加熱部の上面を覆い調理鍋を載せるプレートとを備えた誘導加熱調理器において、
前記複数の加熱部のうち少なくとも一つは誘導加熱コイルを有し、前記プレートには前記加熱部が誘導加熱方式であることを表示するとともに、誘導加熱コイルを用いた加熱部の数を表示することを特徴とする誘導加熱調理器。
【請求項２】
請求項１において、
前記誘導加熱コイルを用いた加熱部の数の表示は、数字又は文字であることを特徴とする誘導加熱調理器。
【請求項３】
請求項１または２において、
前記プレート上に加熱部の印となる載置部を設け、
前記誘導加熱方式であることの表示及び前記誘導加熱コイルを用いた加熱部の数の表示は、前記載置部の外側に配置したことを特徴とする誘導加熱調理器。
【請求項４】
本体の前面寄りに配置された二箇所の加熱部となる誘導方式の加熱コイルと、前記加熱コイル間の奥寄りに配置された一箇所の加熱部となる誘導方式の加熱コイルと、前記加熱コイルの上面を覆い調理鍋を載せるプレートと、前記加熱コイルに電力を供給するインバータと、前記プレート上に加熱部の印となる載置部を備えた誘導加熱調理器において、プレートの前面寄りに配置された前記二箇所の載置部間に、三箇所の加熱部が誘導加熱方式である表示をしたことを特徴とする誘導加熱調理器。
【請求項５】
請求項４において、
前記表示から、前記三箇所の載置部へ繋がる線を設けたことを特徴とする誘導加熱調理器。
【発明の詳細な説明】
【技術分野】
【０００１】
本発明は、誘導加熱調理器に関するものである。
【背景技術】
【０００２】
従来、調理用の鍋を加熱する加熱調理器としてはガスレンジ等の炎を熱源とする加熱調理器が大多数を占めていた。
【０００３】
近年、住宅用機器を全て電化するといった所謂、オール電化住宅の流れが顕著になりつつある。この一環として、加熱調理器として鍋の渦電流を利用して鍋そのものを発熱させる電磁誘導加熱調理器が見直されている。誘導加熱調理器として、現在、手前の左右に配置された二箇所の加熱部が誘導加熱方式で、これらの加熱部と加熱部の間の奥に配置された加熱部がラジエントヒータ等を用いたヒータ方式の誘導加熱調理器が一般的である。
【０００４】
ところで、この本体後部の中央付近に設けられたヒータ方式の加熱部は、ヒータの熱伝導によって鍋を加熱するタイプである。これは、鍋を載置するプレートを、ヒータによって熱して、その熱を鍋に伝える構造である。このためにプレートが高温になると云った欠点がある。このことは、加熱部及びその周辺が熱くならない誘導加熱方式の利点に反する。
【０００５】
そこで、三箇所の加熱部全てを誘導加熱方式とする調理器が望まれている。特許文献１には、本体中央奥に設けられた加熱部も誘導加熱式とし、全ての加熱部を誘導加熱式とした加熱調理器が記載されている。
【０００６】
【特許文献１】特開２００４−３１９３５０号公報
【発明の開示】
【発明が解決しようとする課題】
【０００７】
従来の一般的な誘導加熱調理器に加えて特許文献１のように三箇所の加熱部が誘導方式の誘導加熱調理器が提案されている。
【０００８】
そして、今後市場に大別して下記の二種類の誘導加熱調理器が現れることになる。
【０００９】
・二箇所の加熱部が誘導方式と一箇所の加熱部がヒータ方式の誘導加熱調理器。
・三箇所の加熱部が誘導方式の誘導加熱調理器。
【００１０】
この二種類の誘導加熱調理器を見分ける方法として加熱部を確認する方法がある。しかし、製品の外観から加熱部を見ても加熱部がプレート（プレートは透明でなく着色されているため）に覆われ見えにくく、一般の人がプレート越しに加熱部を見ても誘導方式とかヒータ方式とかを判断するのは大変難しいのが現実である。
【００１１】
また、現在一般的な誘導加熱調理器と特許文献１に示す誘導加熱調理器は調理鍋を載せて加熱する載置部に加熱方式や注意内容が表示されている。
【００１２】
現在一般的な誘導加熱調理器の例として、加熱部が誘導方式の載置部には「ＩＨ」と加熱方式が記載され、加熱部がヒータ方式の載置部には「高温注意」と注意が記載されている。「高温注意」とはヒータ加熱により載置部が高温になっているために火傷をしないように注意を促すためである。
【００１３】
特許文献１に示す誘導加熱調理器は、三箇所の載置部に「ＩＨ」と加熱方式が記載されている。
【００１４】
この載置部の表示は、今まで市場にある三口タイプの誘導加熱調理器は、二箇所の加熱部が誘導方式と一箇所の加熱部がヒータ方式のタイプが一般的で、この構成の違うタイプの誘導加熱調理器は市場にほとんど無いために、製品間の仕様の違いを表す表示というより、特に使い勝手で、一台の誘導加熱調理器の中に誘導方式とヒータ方式が混在していたために、加熱部を間違えないために表示をしていたものである。
【００１５】
そのために、加熱部がヒータ方式の載置部には「高温注意」と注意が記載され、加熱部が誘導方式の載置部には「ＩＨ」と記載することで、使用者が使用する前に確認するための表示であり、使用中は表示が調理鍋に隠れて見えなくなっても特に問題は無かった。
【００１６】
しかし、今後前述したように大別して二種類の誘導加熱調理器が店頭で販売された時に、加熱方式の構成を知る方法として、各メーカのカタログを見たり、販売員の説明を受けたり、前述したように載置部に表示された内容を確認して判断する方法がある。
【００１７】
その中で一番購入者が理解しやすいのは、店頭で展示されている商品を見たときに仕様が理解できることである。そこで、載置部に表示した内容が重要になるが、近年では店頭の展示にも変化があり、商品だけを展示するのではなく使い勝手も提案する展示方法が多く見られるようになり、誘導加熱調理器では、キッチンのイメージを売り場で表現して展示するため、誘導加熱調理器の載置部には調理鍋，ヤカン，フライパンなどを載せて展示している。
【００１８】
そのため、いちいち調理鍋を避けないと、載置部に記載されている表示を確認することができない問題があった。また、実演で調理を作っている時は、調理中の鍋を避けることはできない問題があった。
【００１９】
また、表示は個々の載置部に表示しているために、三箇所（複数箇所）の載置部の表示を確認しないと加熱方式の構成が分からない問題があった。
【００２０】
さらに、背の低い人にとって手前の載置部の表示は確認しやすくても、中央奥側の載置部の表示が読みにくい問題があった。
【００２１】
本発明の目的は上記課題を解決し、誘導方式を採用した加熱部の数を容易に確認することが出来る誘導加熱調理器を提供することにある。
【課題を解決するための手段】
【００２２】
上記目的を達成するために本発明の特徴とするところは、本体内に配置された複数の加熱部と、該加熱部の上面を覆い調理鍋を載せるプレートとを備えた誘導加熱調理器において、前記複数の加熱部のうち少なくとも一つは誘導加熱コイルを有し、前記プレートには前記加熱部が誘導加熱方式であることを表示するとともに、誘導加熱コイルを用いた加熱部の数を表示することにある。
【００２３】
また、本発明の特徴とするところは、上記第１の手段に加え、前記誘導加熱コイルを用いた加熱部の数の表示を数字又は文字で表示したことにある。
【００２４】
また、本発明の特徴とするところは、上記第１または第２の手段に加え、前記プレート上に加熱部の印となる載置部を設け、前記誘導加熱方式であることの表示及び前記誘導加熱コイルを用いた加熱部の数の表示は、前記載置部の外側に配置したことにある。
【００２５】
また、本発明の特徴とするところは、本体の前面寄りに配置された二箇所の加熱部となる誘導方式の加熱コイルと、前記加熱コイル間の奥寄りに配置された一箇所の加熱部となる誘導方式の加熱コイルと、前記加熱コイルの上面を覆い調理鍋を載せるプレートと、前記加熱コイルに電力を供給するインバータと、前記プレート上に加熱部の印となる載置部を備えた誘導加熱調理器において、プレートの前面寄りに配置された前記二箇所の載置部間に、三箇所の加熱部が誘導加熱方式である表示をしたこと。
【００２６】
さらにまた本発明の特教とするところは、上記第４の手段に加え、前記三箇所の載置部へ繋がる線を設けたことにある。
【発明の効果】
【００２７】
本発明によれば、上記のように構成したことにより、誘導加熱調理器の加熱手段のうち、誘導方式を採用した加熱部の数を容易に確認することができる。
【発明を実施するための最良の形態】
【００２８】
以下、本発明の実施例を添付図面に従って説明する。
【実施例１】
【００２９】
図１から図４は本発明の誘導加熱調理器の一実施例を示している。図１に示されている調理器は、プレート３上に三箇所に調理鍋（図示せず）を加熱する載置部６ａ，６ｂ，
６ｃを設けたビルトイン型の誘導加熱調理器である。
【００３０】
尚、本実施例は、キッチンに嵌め込むビルトイン型でなく、キッチンに載置する据置型の誘導加熱調理器であっても差し支えない。
【００３１】
誘導加熱調理器の本体２は、システムキッチン１の上面から落とし込んで設置することで組み込まれる。設置後はロースター（グリル）４と操作部パネル５がシステムキッチン１の前面部から操作できるようになっている。ロースター４の前面部には耐熱ガラス等からなるロースタードア３２が設けられており、このロースタードア３２に設けられたハンドル１１引くことにより、ロースター４を本体２から引き出し可能としている。
【００３２】
調理を行う際の調理鍋（図示せず）は、本体２の上面に配置された耐熱ガラス等からなるプレート３上に載置される。
【００３３】
図示しない調理鍋は、プレート３に描かれた載置部６に載置されることで調理可能となる。載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に調理鍋を加熱するための後述する加熱コイルユニット２５がそれぞれ設置されている。
【００３４】
載置部中央６ｃは位置的に調理者の手の届きにくい場所である。このため、手前の載置部右６ａ，載置部左６ｂに調理鍋が置かれた状態で、載置部中央６ｃ部に手を伸ばすと、載置部右６ａ，載置部左６ｂに置かれた調理鍋から調理中に発生する蒸気により火傷などの危険もあり、載置部中央６ｃで手を加える調理は行いにくい。したがって、載置部中央６ｃで行う調理の種類は調理者があまり手を加えなくても良い料理、主に煮込みや保温などの調理に適している。また、煮込みや保温は火力も弱くて済み、最大消費電力も限りがあることから、載置部中央６ｃに設置する加熱コイル１３ｃの火力を、載置部右６ａ及び載置部左６ｂに対応して設置されている加熱コイル右１３ａ及び加熱コイル左１３ｂより弱くし、消費電力を小さく設定している。
【００３５】
図２において、三箇所全ての加熱部が誘導方式による加熱であることを示す表示９７の表示位置はプレート３のほぼ中央、もしくは、載置部右６ａと載置部左６ｂの中間の線上に表示９７を設けることで、載置部６に調理鍋などを載せて展示を行ったとしても表示
９７が隠れることが無く、また一箇所の表示９７を見ることで三箇所の加熱方式が誘導方式であることを容易に視認することができる。本実施例では誘導加熱方式を三箇所としたが、四箇所・五箇所といったように複数設けるようにしてもよい。
【００３６】
線９８は表示９７から三箇所の載置部６へ繋がる線であり、表示９７の文字「３ＩＨ」に含まれる三の意味と三箇所の載置部６へ繋がる３本の線を引くことにより、三箇所の載置部６の加熱方式が表示９７で示されている誘導方式であることが、誰が見ても一目でわかるようになっている。本実施例は誘導加熱方式を表す「ＩＨ」と、この誘導加熱方式を採用している加熱コイルの数を表す「３」とを合わせて表示するものである。
【００３７】
本実施例によれば、利用者はこの誘導加熱調理器の加熱手段が全て誘導方式であると一目で明確に知ることができる。また、載置部に調理鍋等が載せてあっても表示を確認することができ、表示位置もプレートの中央付近で大変確認しやすく、そのため市場で混乱が生じることはなく、製品の仕様の明確化ができ、仕様による製品の選別が大変しやすいよい調理器を提供することができる。
【００３８】
また、本実施例では三箇所全ての加熱部を誘導方式による加熱としているが、例えば本体の前面寄りに配置された二箇所の加熱部を誘導方式の加熱コイルとし、この加熱コイル間の奥寄りに配置された一箇所の加熱部をヒータ方式とした場合には、「２ＩＨ」のように表示する。この場合、誘導加熱方式を表す「ＩＨ」と、この誘導加熱方式を採用している加熱コイルの数を表す「２」とを合わせて表示している。これにより、使用者は二箇所の加熱方式が誘導方式であることを容易に視認することができる。さらに、線９８を用いて表示部９７から二箇所の載置部６へ繋がる２本の線を引くことにより、誘導加熱方式を採用している箇所がより分かり易くなる。この誘導加熱方式を採用している加熱コイルの数は少なくとも１つ以上とし、任意の数を適宜設定すればよい。この実施例では誘導加熱調理器の加熱手段のうち、誘導方式を採用した加熱部の数を容易に確認することができる。
【００３９】
なお、この加熱コイルの数を表すものは「２」「３」といった数字に限られるものではない。例えば、誘導加熱方式の加熱コイルの数に合わせ「二」「三」「ダブル」「ツイン」「とりぷる」「すりー」のように漢字・カタカナ・ひらがな等の文字で表記したり、
「double」「twin」「triple」「three」のように英文字で表記するようにしても良い。
【００４０】
図１及び図２において、プレート３の周囲端面を保護するためにフレーム１４が設けられている。プレート３の手前の上端縁に取り付けられるフレーム前１４ａと、プレート３の後方上端縁に取り付けられるフレーム後１４ｂと、右側上端縁に取り付けられる１４ｃと、左側上端縁に取り付けられるフレーム左１４ｄから構成されている。本例は４ピースにフレームを分割しているが一体型でも２ピースでも何ピースでも可能であり、また、プレート３の４辺に取り付ける必要も無く、プレート３の手前だけ、後方だけ、前後の２辺だけ、もしくは左右の２辺だけでも良い。
【００４１】
本体２内部には、発熱部材である後述する加熱コイルユニット２５や電子部品が設けられており、これらを冷却するために本体２の外部から空気を吸込むための吸気口７が設けられている。この吸気口７は、本体２上面のフレーム後１４ｂ上の後述する排気口８の向かって右側に位置する。
【００４２】
吸気口７で吸入した空気は、本体２内部で発熱する後述する加熱コイルユニット２５や電子部品を冷却した後に、排気口８から本体外に排出される。また、この排気口８からは、後述するロースター４の廃熱も同時に排出され、この排気口８は本体２上面のフレーム後１４ｂ上にロースター４の位置する側に設けられている。
【００４３】
次に図４を用いて加熱コイルについて説明する。調理鍋（図示せず）を加熱するための加熱コイルユニット２５は、加熱コイル右１３ａ，加熱コイル左１３ｂ，加熱コイル中央１３ｃからなる加熱コイル１３と、コイルベース右２４ａ，コイルベース左２４ｂ，コイルベース中央２４ｃからなるコイルベース２４と、フェライト（図示せず）から構成されている。加熱コイルユニット２５は、各載置部６のプレート３の下方であって、プレート３と加熱コイル１３との間に一定の隙間が開くように設置されている。この隙間は、後述する冷却風が流れるようにするためである。載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００４４】
加熱コイル１３の巻線は表皮効果を抑制するためリッツ線を採用している。この加熱コイル１３には調理鍋（図示せず）を加熱するためにインバータから数十ｋＨｚ，数百Ｖの電圧が印加される。
【００４５】
コイルベース２４は、加熱コイル１３を下から固定すると共に、コイルベース２４にはフェライト（図示せず）が埋設されている。
【００４６】
自動調理時など鍋の温度検知は、加熱コイル１３に埋設された温度検知素子２１により行われる。この温度検知素子２１は、加熱コイル右１３ａに埋設された温度検知素子21ａと、加熱コイル左１３ｂに埋設された温度検知素子２１ｂより構成されている。鍋底の温度はプレート３を介して間接的な温度が検出される。なお、図において加熱コイルユニット右２５ａと加熱コイルユニット左２５ｂには温度検知素子２１が設置されているが、加熱コイルユニット中央２５ｃにも設置することでこの加熱コイルによる保温や煮込みの温度を管理できるようになる。
【００４７】
次に図２を用いて、誘導加熱調理器の操作部と表示部について説明する。操作は、フレーム前１４ａに設けられた上面操作部９によって行われる。調理鍋を置く載置部右６ａ，載置部中央６ｃ，載置部左６ｂに対応して右から、上面操作部右９ａ，上面操作部中央
９ｃ，上面操作部左９ｂが配置されている。これは、操作者が直感的に鍋と操作部との関係を理解できるような配置である。
【００４８】
図より明らかなように上面操作部右９ａと上面操作部左９ｂは同じキー配列，同じキー数で、上面操作部中央９ｃはキー数も少なく、これは、加熱コイル中央１３ｃの機能を他の加熱コイルよりも少なくした為である。
【００４９】
上面操作部９に配置された複数のキーは、フレーム前１４ａに本体２の幅方向に一列に並んで配置されている。そして、本体２の向かって右から上面操作部右９ａ，上面操作部中央９ｃ，上面操作部左９ｂの順で配置されている。しかし、単に横一列に各キーを配列すると、その境が使用者にとって判り難くなってしまう。このため、各上面操作部毎に枠で囲う、色を分けて囲う、キーの色を分けるといった工夫が必要である。本実施例では、上面操作部毎に枠線で囲うと共に、上面操作部右９ａと上面操作部中央９ｃとの間、および上面操作部中央９ｃと上面操作部左９ｂの間に、最低キーの幅１.５ 個分以上の間隔をあけた。これにより操作者は操作キーの分類が分りやすいといった視覚的，触覚的効果がある。
【００５０】
次に前述の操作の結果を反映する表示について説明する。上面操作部９のキー操作に対応した内容は、上面表示部１０に表示される。表示する内容は、上面操作部９で設定した火力表示，タイマー調理用の時間表示，揚げもの用の設定油温の表示等々である。この上面表示部１０は、本体２の上面に置かれたプレート３の手前側で、かつプレート３の裏側に配置されている。したがって、表示を見るときはプレート３を介すこととなるため、プレート３越しに表示内容を見ることができるように上面表示部１０の表示部分は加工が施されている。また、設定した火力がイメージで分りやすいように表示部のバックライトの色が設定されている。本実施例では、とろ火と弱火は緑色表示、中火がオレンジ色表示、強火とハイパワーが赤色表示されるようにしている。
【００５１】
上記実施例では、各上面操作部９に対応して、上面表示部右１０ａ，上面表示部中央
１０ｃ，上面表示部左１０ｂとに分け、各上面表示部の配置はフレーム前１４ａに沿って直線的に配置したが、視認性を上げるために上面表示部中央１０ｃを上面表示部右１０ａ及び上面表示部左１０ｂより載置部中央６ｃ側に寄せて配置してもよい。
【００５２】
上面操作部９と上面表示部１０は、それぞれプレート３上の載置部６毎に設けられており、各載置部６から目線を直線的に手前側に移すと、概ねその直線上に各載置部６に対応した上面操作部９と上面表示部１０が存在するように配置され、なおかつ上面表示部１０よりも上面操作部９の方が調理者側に位置するように配置されている。
【００５３】
本実施例は以上の構成よりなるもので、次にその動作について説明する。
【００５４】
例えば、使用者が初めは載置部右６ａで加熱をして、その後載置部中央６ｃで煮込むような調理を行う場合について説明する。載置部右６ａに調理鍋を置いて、上面操作部右
９ａで火力を設定し、設定した内容が上面表示部右１０ａに表示され、設定された火力に応じて、バックライト色が点灯する。次に上面操作部右９ａの調理開始の操作により調理が開始される。
【００５５】
次に煮込みに移る場合、このまま載置部右６ａが長時間煮込み調理に独占されると他の料理を作る効率が大変悪くなる。そこで、煮込みは載置部中央６ｃで行うこととする。各載置部はプレート３により構成されており、平らになっているので調理鍋の移動は、大変楽に行うことができる。
【００５６】
移動の前に載置部右６ａの火力を上面操作部右９ａを操作して、調理を終了させる。
【００５７】
火力の停止を確認したら調理鍋を載置部中央６ｃに移動し、今度は上面操作部中央９ｃで火力を設定する。ここでは煮込みを行うので、火力はそれほど強くしなくてもよく、またタイマーにより加熱時間を設定して調理を行うと大変便利である。
【００５８】
本発明によればプレート３の前面寄りに配置された二箇所の載置部間６ａ，６ｂの中間の線上に、三箇所の加熱部がすべて誘導加熱方式である表示９７をしたものであり、また、前記表示９７から、三箇所の載置部６へ繋がる線９８を設けて構成したことで、利用者はこの誘導加熱調理器の加熱手段が全て誘導方式であると一目で明確に知ることができる。また、載置部６に調理鍋等が載せてあっても表示９７を確認することができ、表示位置もプレートの中央付近で大変確認しやすく、そのため市場で混乱が生じることはなく、製品の仕様の明確化ができ、仕様による製品の選別が大変しやすいものである。
【実施例２】
【００５９】
以下本発明の他の実施例を説明する。
【００６０】
近年の誘導加熱調理器は、様々な調理に対応できるように、本体の前面に出し入れ自在な引き出し式のロースター（グリル部）が設けられている。このロースター（グリル部）にはシーズヒータが配置されている。そして、これらの操作部は主に本体の前面に配置されていた。誘導加熱調理器は総電力量の制限あり誘導加熱式での調理を優先させることから、ラジエントヒータとグリル部のシーズヒータとを同時に通電させることができないので、スイッチを同じ開閉式操作部に設けて同時に操作をしないように促していた。ラジエントヒータの周辺部は、加熱直後温度が高いため、温度が低下するまで表示部等で注意を促していた。これを解決するために、特許文献１のようにラジエントヒータに代えてＩＨとする技術が提案されている。
【００６１】
全てをＩＨとした場合、ＩＨは出力を極め細やかに制御できるため、その出力状態を表示する出力表示部が必要となった。
【００６２】
しかし、前面操作部に操作部と出力表示部を設けた場合、操作し難く、スペースが狭いので、表示部の大きさが制限される。また、前面操作部はグリル部と反対側に置かれるので、ＩＨ（中央）と前面操作部とが離れてしまい、しかも位置関係もずれているので、誤って操作されることがあった。本実施例の目的は、上記課題を解決し、使い勝手を向上させた誘導加熱調理器を提供することにある。
【００６３】
実施例１で説明したように、図２には誘導加熱調理器の操作部と表示部が示されている。誘導加熱調理器の操作は、フレーム前１４ａに設けられた上面操作部９によって行われる。調理鍋を置く載置部右６ａ，載置部中央６ｃ，載置部左６ｂに対応して右から、上面操作部右９ａ，上面操作部中央９ｃ，上面操作部左９ｂがそれぞれ対応するように配置されている。これは、操作者が直感的に鍋と操作部との関係を理解できるような配置である。
【００６４】
図より明らかなように載置部右６ａ，載置部左６ｂに対応した上面操作部右９ａと上面操作部左９ｂは、同じキー配列，同じキー数となっている。上面操作部中央９ｃのキー数は上面操作部右９ａと上面操作部左９ｂに比べると少なっている。これは、加熱コイル中央１３ｃの機能を他の加熱コイルよりも少なくした為である。
【００６５】
上面操作部９に配置された複数のキーは、フレーム前１４ａに本体２の幅方向に一列に並んで配置されている。そして、本体２の向かって右から上面操作部右９ａ，上面操作部中央９ｃ，上面操作部左９ｂの順で配置されている。しかし、単に横一列に各キーを配列すると、その境が使用者にとって判り難くなってしまう。このため、各上面操作部毎に枠で囲う、色を分けて囲う、キーの色を分けるといった工夫が必要である。本実施例では、上面操作部毎に枠線で囲うと共に、上面操作部右９ａと上面操作部中央９ｃとの間、および上面操作部中央９ｃと上面操作部左９ｂの間に、最低キーの幅１.５ 個分以上の間隔をあけた。これにより操作者は操作キーの分類が分りやすいといった視覚的，触覚的効果がある。
【００６６】
また、本体の前面側にはロースター４（グリル部）の操作を行う操作部パネル５が設けられている。この操作パネル５は図３に示すように、ロースター４と並ぶように本体の前面に配置されている。図３においては、操作パネル５のスイッチ類が開示されていないが、この図３ではスイッチ類を収納した状態を示している。すなわち、この操作パネル５は開閉式となっており、ロースター４を使用しない場合は、図３のように収納することができ、また使用時には図２に示すようにスイッチ類が露出するようにしている。この操作パネルは開放時、図２に示すようにスイッチ類が上面に向くようにするとより操作がし易い。
【００６７】
そして、載置部右６ａ，載置部中央６ｃ，載置部左６ｂに置かれた調理鍋の加熱を行う場合には、上面操作部右９ａ，上面操作部中央９ｃ，上面操作部左９ｂのスイッチ類を押すことで加熱コイルの出力の調整を行う。上面操作部９の近傍には加熱コイルの出力を表示する表示部を設けているので、出力の調整がし易い。また、ロースター４（グリル部）で魚やピザを焼く場合には、このロースター４（グリル部）に併設された操作パネル５のスイッチを操作する。この操作パネル５には、ロースター４（グリル部）のスイッチのみ設けているので、誤って加熱コイルを操作するといった誤操作を防止できる。
【００６８】
さらには、スイッチ類を大きくしたり、スイッチ同士の間隔を大きく取れるので、誤ったスイッチが押されるのを防止することができる。
【００６９】
本実施例によれば、本体上面に向かって配置されプレート３で覆われた加熱手段の操作部をプレート３に配置し、ロースター４（グリル部）の操作部を本体前面に配置しているので、加熱手段とスイッチ類の対応が容易に把握でき、操作性が向上する。
【図面の簡単な説明】
【００７０】
【図１】ビルトイン型の誘導加熱調理器をシステムキッチンに収納した状態の斜視図である。
【図２】加熱調理器の上面を示す説明図である。
【図３】加熱調理器の前面を示す説明図である。
【図４】加熱調理器の上面のプレートを外し加熱コイルが見える状態を示す説明図である。
【符号の説明】
【００７１】
１…システムキッチン、２…本体、３…プレート、４…ロースター、５…操作部パネル、６…載置部、９…上面操作部、１０…上面表示部、１３…加熱コイル、９７…表示、
９８…線。
【図１】
2008021475.tif 000003
【図２】
2008021475.tif 000004
【図３】
2008021475.tif 000005
【図４】
2008021475.tif 000006